(57)【要約】【課題】補助光源が直下から見えず、グレアを低減することのできる補助光源付埋込型照明器具を提供する。【解決手段】主光源と、前記主光源からの光を前方に導く反射板と、補助光源と、を有する埋込型照明器具であって、前記補助光源は、前記反射板に設けられた凹部に設置され、前記反射板は、前記補助光源からの光が前記反射板で反射された後出射するような反射面を具備したことを特徴とする。【選択図】図３
2009283198.tif 000002
【特許請求の範囲】
【請求項１】
主光源と、前記主光源からの光を前方に導く反射板と、補助光源と、を有する埋込型照明器具であって、
前記補助光源は、前記反射板に設けられた凹部に設置され、
前記反射板は、前記補助光源からの光が前記反射板で反射され、出射するような反射面を具備した埋込型照明器具。
【請求項２】
請求項１に記載の埋込型照明器具であって、
前記補助光源は、その光軸が、反射板に臨むように構成された埋込型照明器具。
【請求項３】
請求項１に記載の埋込型照明器具であって、
前記補助光源の光軸は、反射板に設けられた凹部の内周面に臨むように配置された埋込型照明器具。
【請求項４】
請求項１乃至３のいずれかに記載の埋込型照明器具であって、
前記凹部は前記反射板の開口縁に設けられた埋込型照明器具。
【請求項５】
請求項４に記載の埋込型照明器具であって、
前記反射板の開口縁には、前記凹部の周縁を覆うように枠体が設けられており、
前記補助光源は前記枠体に取り付けられている埋込型照明器具。
【請求項６】
請求項１乃至５のいずれかに記載の埋込型照明器具であって、
前記補助光源はＬＥＤである埋込型照明器具。
【発明の詳細な説明】
【技術分野】
【０００１】
本発明は埋込型照明器具に係り、特に補助光源付埋込型照明器具におけるグレアの低減に関する。
【背景技術】
【０００２】
天井面に形成された取付孔に挿入して取り付けられる埋込型照明器具が広く用いられている。そしてさらに近年では、このような埋込型照明器具において常夜灯などの補助機能を有する補助光源を備えた埋込型照明器具も実用化されている。
例えば図７に示すように、反射鏡１０２を備えた主光源１０１としての白熱電球の横に補助光源１０３としての豆球が配置された埋込型照明器具が実用化されており、この補助光源としての豆球が常夜灯の役割を果たすことから、家庭においても広く普及している（特許文献１）。
【０００３】
【特許文献１】特開２００３−１２３５０５号公報
【発明の開示】
【発明が解決しようとする課題】
【０００４】
しかしながら特許文献１の埋込型照明器具では、常夜灯の役割を果たす豆球が、直下から見えるためグレアを感じるという問題があった。
すなわち従来の埋込型照明器具では、補助光源が主光源に隣接配置され、かつその光軸が主光源と略同等である場合が多く、そのため、埋込型照明器具の直下では、補助光源の姿及び直射光を直視することとなり、グレアの問題が生じる。
本発明は前記実情に鑑みてなされたもので、補助光源が直下から見えず、グレアを低減することのできる補助光源付埋込型照明器具を提供することを目的とする。
また本発明は、小型の埋込型照明器具を提供することを目的とする。
また本発明は、補助光源が直下から見えなくても、補助光源からの光を効率よく出射しうるように構成した埋込型照明器具を提供することを目的とする。
また本発明は、主光源と補助光源の両方の光を効率よく照射可能な埋込型照明器具を提供することを目的とする。
【課題を解決するための手段】
【０００５】
上記目的を達成するため、本発明は、主光源と、前記主光源からの光を前方に導く反射板と、補助光源と、を有する埋込型照明器具であって、前記補助光源は、前記反射板に設けられた凹部に設置され、前記反射板は、前記補助光源からの光が前記反射板で反射され、出射するような反射面を具備したことを特徴とする。
この構成によれば、補助光源は、反射板に設けられた凹部に設置され、前記反射板は、前記補助光源からの光が前記反射板で反射された後出射するような反射面を具備しているため、埋込型照明器具の直下であっても、補助光源の姿及び直射光を見ることがない。
【０００６】
また本発明は、上記埋込型照明器具において、前記補助光源は、その光軸が、反射板に臨むように構成されたものを含む。
この構成によれば、補助光源の光軸は、反射板に臨んでいるので、埋込型照明器具の直下であっても、補助光源の姿及び直射光を見ることがない。
【０００７】
また本発明は、上記埋込型照明器具において、前記補助光源の光軸は、反射板に設けられた凹部の内周面に臨むように配置されたものを含む。
この構成により、補助光源の光軸は、反射板に設けられた凹部の内周面に臨んでいるので、主光源の光を反射する凹部以外の部分の光学特性（例えば鏡面反射）と補助光源の光を反射する部分の光学特性（例えば拡散反射）の分別により、主光源の光学特性を所望のものとしたまま補助光源の光を拡散光とさせることができ、補助光源の光のみを拡散させグレア低減効果を高めることができる。
【０００８】
また本発明は、上記埋込型照明器具において、前記凹部は前記反射板の開口縁に設けられたものを含む。
この構成により、凹部は反射板の開口縁に設けられているので、主光源の光を反射する凹部以外の部分が分断されることなく、凹部によるロスを計算する必要がなく、光学設計が簡易となる。
【０００９】
また本発明は、上記埋込型照明器具において、前記反射板の開口縁には、前記凹部の周縁を覆うように枠体が設けられており、前記補助光源は前記枠体に取り付けられているものを含む。
この構成により、枠体に補助光源を設け、埋込型照明器具の装着時に、埋込型照明器具本体の固定を兼ねて、この補助光源付枠体を装着すればよいため、組み立てが容易である。また、補助光源の交換も容易である。
【００１０】
また本発明は、上記埋込型照明器具において、前記補助光源がＬＥＤであるものを含む。
この構成により、グレアを低減するとともに、小型でかつ長寿命、低コストの埋込型照明器具を提供することが可能となる。
【発明の効果】
【００１１】
本発明によれば、下記の効果を得ることができる。
補助光源からの光は直接目に入る事無く、反射光として出射されるため、深夜の常夜灯として、眩しくないあかりを提供することが可能となり、光の質の向上を図ることができる。
また、装置の大型化を招くことなく、従来同等の器具サイズとすることができることから、デザイン性が向上する。
さらにまた、補助光源用の反射板は、主光源用の反射板と兼用できるため、別途反射板の取り付けが不要でありコストの低減をはかることができる。
補助光源としてＬＥＤを用いているため、省電力というＬＥＤの特長を生かすことだけでなく、コンパクトな光源ということで配光制御もしやすく、効率的な発光を得ることができる。これはまた、省エネルギー化という効果も奏功する。
【発明を実施するための最良の形態】
【００１２】
（実施の形態１）
以下、本発明に係る実施の形態１の埋込型照明器具を、図面を参照しつつ詳細に説明する。図１は本発明の実施の形態１に係る埋込型照明器具の断面図、図２は図１に示す埋込型照明器具の斜視図、図３は図１に示す埋込型照明器具の説明図である。
【００１３】
本発明の実施の形態１の埋込型照明器具は、主光源１としてのコンパクト型蛍光灯と、前記主光源１からの光を前方に導く略椀状をなし、開口縁に凹部２Ｃを形成した反射板２と、補助光源３としてのＬＥＤ光源とを有し、この補助光源３は、反射板２に設けられた凹部２Ｃに設置され、反射板２は、補助光源３からの光が一旦反射板で反射され、出射するような反射面を構成したことを特徴とする。
この補助光源３は、反射板の開口縁に装着され、天井５にこの埋込型照明器具を固定するリング状の枠体４の裏側(内側)に、照射面が上部に向くように、所定の間隔で複数のＬＥＤを円周状に装着されたＬＥＤユニット３１とこのＬＥＤユニット３１を駆動するためのＬＥＤ電源ブロック３２とを具備している。
【００１４】
さらにまた主光源１はこの椀状の反射板の中心軸上にソケット６を介して取り付けられ、端子台７に取り付けられた安定器８を介して電源（図示せず）から給電することで点灯される。
また、この反射板２は天井５に設けられた穴に埋め込まれ、取り付けばね９によって弾性的に固定されるとともに、上記枠体４で固定される。
組み立てに際しては、まず、枠体４にＬＥＤユニット３１を装着し、この枠体４を反射鏡および主光源の取り付けられた天井に固定すればよいため、組み立て作業性も良好である。
【００１５】
この反射板２は従来のダウンライトの器具構成をベースに設計されている。
なおこの反射板は主光源（コンパクト蛍光灯）と補助光源（ＬＥＤユニット）の配光制御を満足する形状となるように一体型とした。
また、この主光源１としてのコンパクト蛍光灯の最下部までは従来ダウンライトと同一の反射板２の形状（コンパクト蛍光灯の光を効率的に下方に照射できる形状）とし、枠体４までの部分をＬＥＤ光源の光を効率的に下方に照射できる凹形状にした。
【００１６】
図３はこの配向状況を示す断面図である。この図からわかるように補助光源３からの光Ｌ１は一旦反射板２の凹部２Ｃにあたって、反射光（間接光）Ｌ２として下方を照射する。この図からも明らかなように、本発明の埋込型照明器具によれば、補助光源３からの直接光がないため、グレアを感じにくい。これに対し図７に示した、従来例の埋込型照明器具では、補助光源が直下から直接見える位置にあるため、グレアを感じる。
【００１７】
図４に本実施の形態の埋込型照明器具の点灯回路の回路構成を示す。この点灯回路は、主光源用の電源１２と補助光源の電源３２（ＬＥＤ用電源ブロック）とを別に構成している。この回路構成によれば、壁スイッチ等で個別に操作することができる。１１はインバータである。
この回路構成の変形例として、図５に示すように、１つの電源１２で構成してもよい。この例では電源を１つにし、主光源と補助光源を切り替える方法である。例えば、電源をＯＮからＯＦＦにして２秒以内にＯＮにすると点灯状態が切り替わるなどの制御を電源制御回路によって実現するようにしてもよい。
【００１８】
なお前記実施の形態１では主光源としてコンパクト蛍光灯を用いたがこれに限定されることなく、通常の環状蛍光灯、白熱電球など、適宜変更可能である。また補助光源としてもＬＥＤに限定されることなく豆球など適宜変更可能である。
【００１９】
また前記実施の形態では、補助光源としてＬＥＤを相対向する位置に２個設けたが、１個でもよいし、多数個でもよい。さらにまた、枠体４は予め反射板２と一体に組立てられていてもよい。
またここで、この埋込型照明器具の高さｈ０は２１０ｍｍ程度であり、補助光源を設けるための凹部の位置は開口縁から１５ｍｍ程度であった。
【００２０】
（実施の形態２）
次に、本発明に係る実施の形態２の埋込型照明器具を、図面を参照しつつ詳細に説明する。図６は本発明の実施の形態２に係る埋込型照明器具の断面図である。
【００２１】
本発明の実施の形態２の埋込型照明器具は、反射板２Ｓの形状が、その開口縁近傍で、主光源１の光軸に略直交する方向に凹部を有するように形成され、この凹部の底面に、光軸が主光源の光軸に対して４５度の角度をなすように取り付けられた補助光源３ＳとしてのＬＥＤ光源とを具備したことを特徴とする。この構成により、補助光源３Ｓからの光が一旦反射板１２の開口縁近傍の光軸に略直交する面で反射され、出射するような反射面を構成する。
この補助光源３Ｓは、前記実施の形態１で用いたものと同様に、反射板の開口縁に装着され、照射面が横方向に向くように、所定の間隔で複数のＬＥＤを円周状に装着されたＬＥＤユニット３１とこのＬＥＤユニット３１を駆動するためのＬＥＤ電源ブロック３２とを具備している。
【００２２】
他部については前記実施の形態１と同様に構成されているためここでは説明を省略する。
【００２３】
なお、本発明の照明器具は、前述した各実施の形態に限定されるものでなく、適宜変形、改良等が可能である。
【００２４】
例えば、前述した各実施の形態において、主光源、補助光源のいずれについても光源の種類については前記実施の形態に限定されることなく適宜変更可能である。
また、補助光源については一次反射による光をとりだすようにしたが、２次反射、３次反射など高次反射光を取り出すようにしてもよい。これによりグレアは大幅に向上する。
【図面の簡単な説明】
【００２５】
【図１】本発明の実施の形態１に係る埋込型照明器具の断面図
【図２】同埋込型照明器具の斜視図
【図３】同埋込型照明器具の説明図
【図４】同埋込型照明器具の点灯回路を示す図
【図５】同点灯回路の変形例を示す図
【図６】本発明の実施の形態２に係る埋込型照明器具の断面図
【図７】従来例の埋込型照明器具を示す図
【符号の説明】
【００２６】
１  主光源
２  反射板
３  補助光源
４  枠体
５  天井
６  ソケット
７  端子台
８  安定器
９  取付ばね
３０  ＬＥＤ
３１  ＬＥＤ電源ブロック
【図１】
2009283198.tif 000003
【図２】
2009283198.tif 000004
【図３】
2009283198.tif 000005
【図４】
2009283198.tif 000006
【図５】
2009283198.tif 000007
【図６】
2009283198.tif 000008
【図７】
2009283198.tif 000009